(57)【要約】【課題】記録または再生している場所のチルトを、フォーカス制御およびトラッキング制御をした状態で簡単かつ正確に検出し、また、記録または再生に直接関係のない部品を必要とせずに、チルトの検出を可能とする光ディスクおよび測定方法を提供する【解決手段】、少なくとも内周、外周およびゾーン切り替え部のいずれかに、２トラック以上の溝によるディスクチルト検出領域が構成され、前記ディスクチルト検出領域の中央２トラックのグルーブが、略同一周波数でお互いに半周期ずれてウォブルした光ディスクを用い、前記チルト検出領域の中央の２本のグルーブに挟まれたランド部分を、ディファレンシャルプッシュプル方式などの制御方法にてトラッキング制御を行い、プッシュプル信号を検出する。【選択図】        図１
2004295966.tif 000002
【特許請求の範囲】
【請求項１】
螺旋状あるいは同心円状にトラッキング用の溝が形成された光ディスクであって、少なくとも記録エリア内周、外周、ゾーン切り替え部の何れかに２トラック以上の溝（グルーブ）によるディスクチルト検出領域が構成され、前記ディスクチルト検出領域の中央２トラックのグルーブが、略同一周波数でお互いに半周期ずれてウォブルしていることを特徴とする光ディスク。
【請求項２】
螺旋状あるいは同心円状にトラッキング用の溝が形成された光ディスクであって、内周、外周およびゾーン切り替え部等に２トラック以上の溝（グルーブ）によるディスクチルト検出領域が構成され、前記ディスクチルト検出領域の中央２トラックのグルーブのウォブル周波数が、隣接するトラックのウォブル周波数の２倍以上であることを特徴とする光ディスク。
【請求項３】
前記ディスクチルト検出領域の中央２トラックのグルーブにはさまれたランドの幅が、周期的に変化していることを特徴とする請求項１記載の光ディスク。
【請求項４】
前記ディスクチルト検出領域の中央２トラックのグルーブのウォブル振幅が、一定区間は同一方向（例えば内周方向）だけに振幅し、つづく一定区間は反対方向（例えば外周方向）だけに振幅することを特徴とする請求項１記載の光ディスク。
【請求項５】
前記ウォブル振幅で同一方向、例えば内周方向だけに振幅している区間と、反対方向、例えば外周方向だけに振幅している区間の合計が１ｍｍ以下であることを特徴とする請求項４記載の光ディスク。
【請求項６】
螺旋状あるいは同心円状にトラッキング用の溝が形成された光ディスクであって、内周、外周およびゾーン切り替え部等に１トラック以上のグルーブによるディスクチルト検出領域が構成され、前記ディスクチルト検出領域の中央１トラックのグルーブが、隣接するトラックのウォブル周波数の２倍以上でウォブルしていることを特徴とする光ディスク。
【請求項７】
前記ディスクチルト検出領域の中央のグルーブ幅が、周期的に変化していることを特徴とする光ディスク。
【請求項８】
螺旋状あるいは同心円状にトラッキング用の溝が形成され、溝部、または溝間部、または溝部と溝間部の双方を記録トラックとした光ディスクであって、少なくとも記録エリア内周、外周、ゾーン切り替え部の何れかにディスクチルト検出領域が構成され、前記ディスクチルト検出領域は、少なくとも第１のトラックと第２のトラックを有し、前記第１のトラックと前記第２のトラックが略同一周波数であり、且つ、半周期ずらしてウォブルさせたことを特徴とする光ディスク。
【請求項９】
螺旋状あるいは同心円状にトラッキング用の溝が形成され、溝部、または溝間部、または溝部と溝間部の双方を記録トラックとした光ディスクであって、少なくとも記録エリア内周、外周、ゾーン切り替え部の何れかにディスクチルト検出領域が構成され、前記ディスクチルト検出領域は、少なくとも第１のトラックと第２のトラックを有し、前記第１のトラックのウォブル周波数を、前記第２のトラックのウォブル周波数の２倍以上としたことを特徴とする光ディスク。
【発明の詳細な説明】
【０００１】
【発明の属する技術分野】
本発明は、光記録媒体（光ディスク）と、これに記録された情報を読み出して再生する方法、および、この再生方法を用いる光情報再生装置等に関し、特に高密度に記録されたする光ディスクに好適なチルトの検出方法に関する。
【０００２】
【従来の技術】
近年、光記録媒体の大容量化の必要性に応えるべく、ＤＶＤ−Ｒ、ＤＶＤ−ＲＷ、ＤＶＤ−ＲＡＭ、ＤＶＤ＋Ｒ、ＤＶＤ＋ＲＷ等の光記録媒体（光ディスク）が製品化されている。これらは、例えば、直径１２０ｍｍ、厚さ０．６ｍｍのポリカーボネート基板上に、誘電体層、記録層等を積層し、さらに保護層を形成した後、記録層等を内側に挟み込むようにして、２枚の基板同士を貼り合わせて製造される。
【０００３】
これらの大容量のＤＶＤ製品は高密度化され、これらに情報を記録し、または記録された情報を再生するための光ヘッド装置は、光ディスク面上に集光するスポット径を小さくする必要があるために、レーザ光源の波長を６５０ｎｍまたは６３５ｎｍで、対物レンズの開口数（ＮＡ）を０．６にしている。
【０００４】
さらに、次世代の光記録においてはレーザ光源の波長を４０５ｎｍ程度、ＮＡを０．６以上とすることで、より大きな記録密度を得ることが提案されている。
【０００５】
しかし、それにともない、光ディスクの傾き（ディスクチルト）に対する許容度が小さくなり、従来よりも精度良く光ディスクの傾きを検出する必要がある。
【０００６】
従来のディスクチルト検出方法は、光ディスクにＬＥＤ等の光ビームを照射して、ディスクからの反射光を２個の光センサで受光し、前記光センサの受光量の差から光ディスクのチルト量を検出する方法、いわゆるチルトセンサーによる検出方法が用いられている。
【０００７】
【発明が解決しようとする課題】
しかしながら、前記チルトセンサーを光ディスクドライブの固定部分に設置すると、光ディスクの特定の場所のチルトしか検出できない。また、前記光ディスクドライブの対物レンズと一緒に動く可動部分に設置すると、可動部分が重くなり記録、再生の性能が低下する。また前記可動部分の駆動に必要な電流も増加する。
【０００８】
その上、前記チルトセンサーを前記光ディスクドライブの固定部分、可動部分のどちらに設置しても、実際に記録または再生している場所と異なった場所のチルトを検出しているという欠点があった。さらに、記録または再生に直接関係のない部品が必要となるため、コストアップの要因になる。
【０００９】
本発明は、かかる技術的課題を解決するためになされたものであって、その目的とするところは、実際に記録または再生している場所のチルトを、フォーカス制御およびトラッキング制御をした状態で簡単かつ正確に検出することにある。また、記録または再生に直接関係のない部品を必要とせずに、チルトの検出を可能とする光ディスクおよび測定方法を提供することにある。
【００１０】
【課題を解決するための手段】
この課題を解決するために、第一の方法として、少なくとも前記光ディスクの内周、外周およびゾーン切り替え部いずれかに、２トラック以上の溝（グルーブ）によるディスクチルト検出領域が構成され、前記ディスクチルト検出領域の中央２トラックのグルーブが、略同一周波数でお互いに半周期ずれてウォブルすれば良い。
【００１１】
そして前記チルト検出領域の中央の２本のグルーブに挟まれたランド部分を、ディファレンシャルプッシュプル方式などの制御方法にてトラッキング制御を行い、プッシュプル信号を検出する。
【００１２】
信号の検出方法は、前記ランド部分の片側、例えばディスク内周方向へウォブルしている振幅の最大位置で、プッシュプル信号の検出をして、これを第一の値とする。さらに、前記ランド部分の反対側、例えばディスク外周方向へウォブルしている振幅の最大位置で、プッシュプル信号の検出をして、これを第二の値とする。前記第一の値と前記第二の値を加えた値が、ディスクのチルト方向およびチルト量と比例関係にある。
【００１３】
さらに、前記チルト検出領域のランド部分全体のプッシュプル信号の検出を行って、平均化すると、この値もディスクのチルト方向およびチルト量と比例関係にある。
【００１４】
第二の方法として、前記光ディスクの内周、外周およびゾーン切り替え部等に、１トラック以上のグルーブによるディスクチルト検出領域を設け、前記チルト検出領域の中央の１トラックを、隣接するトラックのウォブル周波数の２倍以上でウォブルさせる。
【００１５】
そして前記チルト検出領域の中央のウォブルされたグルーブを、ディファレンシャルプッシュプル方式などの制御方法にてトラッキング制御し、プッシュプル信号を検出する。
【００１６】
信号の検出方法は、前記グルーブの片側、例えばディスク内周方向へウォブルしている振幅の最大位置で、プッシュプル信号の検出をして、これを第一の値とする。さらに、前記グルーブの反対側、例えばディスク外周方向へウォブルしている振幅の最大位置で、プッシュプル信号の検出をして、これを第二の値とする。前記第一の値と前記第二の値を加えた値が、ディスクのチルト方向およびチルト量と比例関係にある。
【００１７】
さらに、前記チルト検出領域の中央のグルーブ全体のプッシュプル信号の検出を行って、平均化すると、この値もディスクのチルト方向およびチルト量と比例関係にある。
【００１８】
【発明の実施の形態】
以下、添付図面に基づき、本発明の実施の形態について詳述する。
図１は、本実施の形態が適用される光情報記録再生装置の全体構成を説明するための図である。ここに示されている光情報記録再生装置は、光源としてレーザー光を発光するレーザー光源（半導体レーザー）１１、レーザー光を平行な光束に変換するコリメートレンズ１２、レーザー光を回折する回折格子１３、光束を９０度方向に反射する反射ミラー１５、反射ミラー１５により反射した光束を光ディスク１９に集光する対物レンズ１６、光ディスク１９で反射して元の光路をたどる光束を反射するビームスプリッター１４、ビームスプリッター１４から反射した平行な光束を集光する集光レンズ１７、集光レンズ１７を透過した光束が入射するフォトディテクター１８を備えている。
【００１９】
レーザー光源１１から発光するレーザー光の波長はおよそ４０５ｎｍで、ほぼ直線的に偏光しかつ発散した光束を発生する。光束はコリメートレンズ１２で平行になり、回折格子１３に入射する。回折格子１３で０次光、１次光に回折された光束は、ビームスプリッター１４を透過して反射ミラー１５で反射して、アクチュエータ（図示せず）に取り付けられた対物レンズ１６により光ディスク１９に集光され複数の光スポットを結像する。
【００２０】
図２は光ディスク１９に集光された、メイン収束スポット２１、サブ収束スポット（１）２２、サブ収束スポット（２）２３の模式図である。回折格子１３をレーザー光束に対して回転させ、集光された複数の光スポットすなわち、前記メイン収束スポット２１がランド上をトレースし、メイン収束スポット２１よりトレース方向に先行するサブ収束スポット（１）２２は、メイン収束スポット２１がトレースしているランドに隣接したグルーブをトレースし、サブ収束スポット（２）２３はメイン収束スポット２１に対してサブ収束スポット（１）２２と反対側のグルーブをトレースするように調整する。
【００２１】
光ディスク１９からの反射光は再び対物レンズ１６を通り、反射ミラー１５で反射し、ビームスプリッター１４で反射して集光レンズ１７にてフォトディクター１８上に結像する。
【００２２】
図３はフォトディクター１８上の受光素子の図である。フォトディクター１８上に結像した３つの光スポットの位置関係は、光ディスク１９上に集光した３つのスポットの位置関係と相似であるから、図３に示すように、  メイン収束スポットの受光素子２４、サブ収束スポット（１）の受光素子２５、サブ収束スポット（２）の受光素子２６にて光ディスク１９からの反射光を受光して、光ディスク１９上の記録された情報を読み取ることができる。ディファレンシャルプッシュプル信号（ＤＰＰ信号）によるトラッキング制御方法は、プッシュプル信号のオフセットを補正する公知の方法で、今回の実験ではこの方法を採用した。
【００２３】
ＤＰＰ信号によるトラッキング制御方法を簡単に説明する。メイン収束スポットの受光素子２４のａ側、およびｂ側に照射した光量を、それぞれ２４ａ、２４ｂとする。サブ収束スポット（１）の受光素子２５のａ側、およびｂ側に照射した光量を、それぞれ２５ａ、２５ｂとする。サブ収束スポット（２）の受光素子２６のａ側、およびｂ側に照射した光量を、それぞれ２６ａ、２６ｂとすると、ＤＰＰ信号は以下の（１）式で表される。
2004295966.tif 000003
ｋ１、ｋ２は定数で、以下の（２）式が成立するようにｋ１、ｋ２の値を設定する。
2004295966.tif 000004
（１）式で表されるＤＰＰ信号を用いれば、オフセットの補正されたトラッキング制御をすることが出来る。
【００２４】
図４−（ａ）、（ｂ）、（ｃ）、（ｄ）、（ｅ）はトラッキングオフ時のＤＰＰ信号波形のラジアルチルト特性である。ディスクがチルトしてもラジアルオフセットは生じない。  図４−（ｆ）、（ｇ）、（ｈ）、（ｉ）、（ｊ）はトラッキングオフ時の、メイン収束スポットのプッシュプル信号波形のラジアルチルト特性である。ディスクがチルトするとラジアルオフセットが生じる。
【００２５】
図６−（ａ）の溝形状をＤＰＰ信号でトラッキング制御を行った時のＤＰＰ信号波形のラジアルチルト特性を図５−（ａ）、（ｂ）、（ｃ）、（ｄ）、（ｅ）に示す。図５−（ｆ）、（ｇ）、（ｈ）、（ｉ）、（ｊ）はＤＰＰ信号でトラッキング制御を行った時の、メイン収束スポットのプッシュプル信号波形のラジアルチルト特性である。各図の両端は通常のグルーブ領域で、信号はローパスフィルタを通す前のＤＰＰ信号とプッシュプル信号である。
【００２６】
今回の実験に使用した光情報記録再生装置は、レーザー光源として、波長４０５ｎｍの半導体レーザーを使用した。対物レンズのＮＡは０．６５で、対物レンズ開口径と対物レンズに入射するレーザー光束の１／ｅ＾２径の比率（Ａ／Ｗ）は、タンジェンシャル方向、ラジアル方向とも約０．６である。また、今回の実験に使用した光ディスクのトラックピッチは０．４μｍ、溝（グルーブ）幅は０．２μｍ、溝深さは０．０３２μｍである。グルーブのウォブル長さは２．０μｍで、ウォブルの振幅は０．０５〜０．１μｍである。
【００２７】
図６−（ａ）は今回の実験に使用した光ディスク溝形状の第一実施例である。ディスクのカッティング時に、１本の露光ビームを連続して照射させて、図の中央の２トラックの上側のグルーブを作成するときは、一定周期で図の下方向へ矩形状にウォブルするように、下側のグルーブを作成するときには上側のグルーブと同一周期で、互いに半周期ずらして上方向へ矩形状にウォブルするようにしてグルーブを作成した。
【００２８】
こうして作成した前記２トラックのグルーブに挟まれたランド部分を、ＤＰＰ信号でトラッキング制御を行い、メイン収束スポットの受光素子２４のプッシュプル信号を検出する。前記プッシュプル信号の検出方法は、前記ランド部分の片側、例えばディスク内周方向へウォブルしている振幅の最大位置、図６−（ａ）のＳ１の位置でプッシュプル信号の検出をして、これを第一の値とする。次に、前記ランド部分の反対側、例えばディスク外周方向へウォブルしている振幅の最大位置、図６−（ａ）のＳ２の位置で、プッシュプル信号の検出をして、これを第二の値とする。Ｓ１およびＳ２が複数箇所存在する場合はどの位置で検出しても構わない。前記第一の値と前記第二の値を加えた値を、ディスクをチルトさせながら検出してプロットしたものが、図６−（ｂ）のグラフである。
【００２９】
また、前記ランド部分全体でメイン収束スポットの受光素子２４のプッシュプル信号の検出を行い、平均化させた値を、ディスクをチルトさせながら検出してプロットしたものが、図６−（ｃ）のグラフである。図６−（ｂ）、図６−（ｃ）どちらもメイン収束スポットの受光素子２４のプッシュプル信号が、ディスクの傾きと比例して変化していることが良くわかる。
【００３０】
図７−（ａ）は今回の実験に使用した光ディスク溝形状の第二実施例である。ディスクのカッティング時に、１本の露光ビームを連続して照射させて、図の中央の２トラックの上側のグルーブを作成するときは、一定周期で図の下方向へ正弦波状にウォブルするように、下側のグルーブを作成するときには上側のグルーブと同一周期で、互いに半周期ずらして上方向へ正弦波状にウォブルするようにしてグルーブを作成した。
【００３１】
こうして作成した前記２トラックのグルーブに挟まれたランド部分を、ＤＰＰ信号でトラッキング制御を行い、メイン収束スポットの受光素子２４のプッシュプル信号を検出する。前記プッシュプル信号の検出方法は、前記ランド部分の片側、例えばディスク内周方向へウォブルしている振幅の最大位置、図７−（ａ）のＳ１の位置でプッシュプル信号の検出をして、これを第一の値とする。次に、前記ランド部分の反対側、例えばディスク外周方向へウォブルしている振幅の最大位置、図７−（ａ）のＳ２の位置で、プッシュプル信号の検出をして、これを第二の値とする。Ｓ１およびＳ２が複数箇所存在する場合はどの位置で検出しても構わない。前記第一の値と前記第二の値を加えた値を、ディスクをチルトさせながら検出してプロットしたものが、図７−（ｂ）のグラフである。また、前記ランド部分全体でメイン収束スポットの受光素子２４のプッシュプル信号の検出を行い、平均化させた値を、ディスクをチルトさせながら検出してプロットしたものが、図７−（ｃ）のグラフである。
【００３２】
図８−（ａ）は今回の実験に使用した光ディスク溝形状の第三実施例である。ディスクのカッティング時に、１本の露光ビームを連続して照射させて、図の中央の２トラックの上側のグルーブを作成するときは、図７−（ａ）を作成した半分の周期で図の下方向へ正弦波状にウォブルするように、下側のグルーブを作成するときには上側のグルーブと同一周期で、互いに半周期ずらして上方向へ正弦波状にウォブルするようにしてグルーブを作成した。
【００３３】
こうして作成した前記２トラックのグルーブに挟まれたランド部分を、ＤＰＰ信号でトラッキング制御を行い、メイン収束スポットの受光素子２４のプッシュプル信号を検出する。前記プッシュプル信号の検出方法は、前記ランド部分の片側、例えばディスク内周方向へウォブルしている振幅の最大位置、図８−（ａ）のＳ１の位置でプッシュプル信号の検出をして、これを第一の値とする。次に、前記ランド部分の反対側、例えばディスク外周方向へウォブルしている振幅の最大位置、図８−（ａ）のＳ２の位置で、プッシュプル信号の検出をして、これを第二の値とする。Ｓ１およびＳ２が複数箇所存在する場合はどの位置で検出しても構わない。前記第一の値と前記第二の値を加えた値を、ディスクをチルトさせながら検出してプロットしたものが、図８−（ｂ）のグラフである。また、前記ランド部分全体でメイン収束スポットの受光素子２４のプッシュプル信号の検出を行い、平均化させた値を、ディスクをチルトさせながら検出してプロットしたものが、図８−（ｃ）のグラフである。
【００３４】
図９−（ａ）は今回の実験に使用した光ディスク溝形状の第四実施例である。ディスクのカッティング時に、２本の露光ビームを使用して、１本の露光ビームは連続して照射させて、もう１本の露光ビームは、図の中央の２トラックの上側のグルーブを作成するときは、一定周期で図の下方向へ位置をずらして照射するように、下側のグルーブを作成するときには上側のグルーブと同一周期で、互いに半周期ずらして上方向へ位置をずらして照射させるようにしてグルーブを作成した。
【００３５】
こうして作成した前記２トラックのグルーブに挟まれたランド部分を、ＤＰＰ信号でトラッキング制御を行い、メイン収束スポットの受光素子２４のプッシュプル信号を検出する。前記プッシュプル信号の検出方法は、前記ランド部分の片側、例えばディスク内周方向へウォブルしている振幅の最大位置、図９−（ａ）のＳ１の位置でプッシュプル信号の検出をして、これを第一の値とする。次に、前記ランド部分の反対側、例えばディスク外周方向へウォブルしている振幅の最大位置、図９−（ａ）のＳ２の位置で、プッシュプル信号の検出をして、これを第二の値とする。Ｓ１およびＳ２が複数箇所存在する場合はどの位置で検出しても構わない。前記第一の値と前記第二の値を加えた値を、ディスクをチルトさせながら検出してプロットしたものが、図９−（ｂ）のグラフである。また、前記ランド部分全体でメイン収束スポットの受光素子２４のプッシュプル信号の検出を行い、平均化させた値を、ディスクをチルトさせながら検出してプロットしたものが、図９−（ｃ）のグラフである。
【００３６】
図１０−（ａ）は今回の実験に使用した光ディスク溝形状の第五実施例である。ディスクのカッティング時に、２本の露光ビームを使用して、１本の露光ビームは連続して照射させて、もう１本の露光ビームは、一定周期で図の上方向と下方向へ位置をずらし、断続的に照射させてグルーブを作成した。
【００３７】
こうして作成した前記グルーブ部分を、ＤＰＰ信号でトラッキング制御を行い、メイン収束スポットの受光素子２４のプッシュプル信号を検出する。前記プッシュプル信号の検出方法は、前記グルーブ部分の片側、例えばディスク内周方向へウォブルしている振幅の最大位置、図１０−（ａ）のＳ１の位置でプッシュプル信号の検出をして、これを第一の値とする。次に、前記グルーブ部分の反対側、例えばディスク外周方向へウォブルしている振幅の最大位置、図１０−（ａ）のＳ２の位置で、プッシュプル信号の検出をして、これを第二の値とする。Ｓ１およびＳ２が複数箇所存在する場合はどの位置で検出しても構わない。前記第一の値と前記第二の値を加えた値を、ディスクをチルトさせながら検出してプロットしたものが、図１０−（ｂ）のグラフである。また、前記グルーブ部分全体でメイン収束スポットの受光素子２４のプッシュプル信号の検出を行い、平均化させた値を、ディスクをチルトさせながら検出してプロットしたものが、図１０−（ｃ）のグラフである。
【００３８】
図１１−（ａ）は今回の実験に使用した光ディスク溝形状の第六実施例である。ディスクのカッティング時に、２本の露光ビームを使用して、１本の露光ビームは連続して直線的に照射させて、もう１本の露光ビームは、一定周期で図の上方向と下方向へ正弦波状にウォブルさせて照射させてグルーブを作成した。
【００３９】
こうして作成した前記グルーブ部分を、ＤＰＰ信号でトラッキング制御を行い、メイン収束スポットの受光素子２４のプッシュプル信号を検出する。前記プッシュプル信号の検出方法は、前記グルーブ部分の片側、例えばディスク内周方向へウォブルしている振幅の最大位置、図１１−（ａ）のＳ１の位置でプッシュプル信号の検出をして、これを第一の値とする。次に、前記グルーブ部分の反対側、例えばディスク外周方向へウォブルしている振幅の最大位置、図１１−（ａ）のＳ２の位置で、プッシュプル信号の検出をして、これを第二の値とする。Ｓ１およびＳ２が複数箇所存在する場合はどの位置で検出しても構わない。前記第一の値と前記第二の値を加えた値を、ディスクをチルトさせながら検出してプロットしたものが、図１１−（ｂ）のグラフである。また、前記グルーブ部分全体でメイン収束スポットの受光素子２４のプッシュプル信号の検出を行い、平均化させた値を、ディスクをチルトさせながら検出してプロットしたものが、図１１−（ｃ）のグラフである。
【００４０】
図１２−（ａ）は今回の実験に使用した光ディスク溝形状の第七実施例である。ディスクのカッティング時に、２本の露光ビームを使用して、１本の露光ビームは連続して直線的に照射させて、もう１本の露光ビームは、図１１−（ａ）を作成した半分の周期で、図の上方向と下方向へ正弦波状にウォブルさせて照射することでグルーブを作成した。
【００４１】
こうして作成した前記グルーブ部分を、ＤＰＰ信号でトラッキング制御を行い、メイン収束スポットの受光素子２４のプッシュプル信号を検出する。前記プッシュプル信号の検出方法は、前記グルーブ部分の片側、例えばディスク内周方向へウォブルしている振幅の最大位置、図１２−（ａ）のＳ１の位置でプッシュプル信号の検出をして、これを第一の値とする。次に、前記グルーブ部分の反対側、例えばディスク外周方向へウォブルしている振幅の最大位置、図１２−（ａ）のＳ２の位置で、プッシュプル信号の検出をして、これを第二の値とする。Ｓ１およびＳ２が複数箇所存在する場合はどの位置で検出しても構わない。前記第一の値と前記第二の値を加えた値を、ディスクをチルトさせながら検出してプロットしたものが、図１２−（ｂ）のグラフである。また、前記グルーブ部分全体でメイン収束スポットの受光素子２４のプッシュプル信号の検出を行い、平均化させた値を、ディスクをチルトさせながら検出してプロットしたものが、図１２−（ｃ）のグラフである。
【００４２】
図１３−（ａ）は通常のグルーブウォブル形状で、今回の実験で比較対照するための溝形状である。他の溝形状と同様にグルーブ部分を、ＤＰＰ信号でトラッキング制御を行い、メイン収束スポットの受光素子２４のプッシュプル信号を検出する。前記プッシュプル信号の検出方法は、前記グルーブ部分の片側、例えばディスク内周方向へウォブルしている振幅の最大位置、図１２−（ａ）のＳ１の位置でプッシュプル信号の検出をして、これを第一の値とする。次に、前記グルーブ部分の反対側、例えばディスク外周方向へウォブルしている振幅の最大位置、図１２−（ａ）のＳ２の位置で、プッシュプル信号の検出をして、これを第二の値とする。Ｓ１およびＳ２が複数箇所存在する場合はどの位置で検出しても構わない。前記第一の値と前記第二の値を加えた値を、ディスクをチルトさせながら検出してプロットしたものが、図１２−（ｂ）のグラフである。また、前記グルーブ部分全体でメイン収束スポットの受光素子２４のプッシュプル信号の検出を行い、平均化させた値を、ディスクをチルトさせながら検出してプロットしたものが、図１２−（ｃ）のグラフである。
【００４３】
各溝形状のプッシュプル信号出力のグラフより、光ディスクのチルトによる信号出力の変化量（信号検出感度）は、Ｓ１の位置とＳ２の位置とのプッシュプル信号の加算信号を検出する方法が、該ランド部分もしくはグルーブ部分全体の、プッシュプル信号の平均化させた値を検出する方法より大きくなることが判る。また、ランド部分とグルーブ部分では、ランド部分を検出する方が、光ディスクのチルトによる信号出力の変化量が大きくなることが判った。
【００４４】
ところで、信号検出において、信号自体の最大値、最小値または平均値ではなくて、物理的な位置、例えばウォブル振幅の最大点での信号を検出するには、位置決めの基準点がなければならない。クロック作成用のファインクロックマークなどがあれば、基準点として用いることが出来るので、前記Ｓ１の位置、Ｓ２の位置での信号を検出することが出来る。しかし、仕様によってはファインクロックマークがない光ディスクも多い。その場合はウォブル振幅の最大点の位置が確定しにくくなり、検出信号の誤差が大きくなる。従って位置決めの基準点を設けることが出来ない光ディスクは、チルト検出領域の該ランド部分もしくはグルーブ部分全体でのプッシュプル信号の平均化した値を検出する。
【００４５】
図１３−（ａ）の通常のグルーブウォブル形状の信号出力で、Ｓ１の位置とＳ２の位置とのプッシュプル信号の加算信号は、他の溝形状のグルーブ部分の信号出力と変わらないが、グルーブ部分全体のプッシュプル信号の平均化させた値は大きく異なっている。このことから、前記プッシュプル信号の平均化させた値、すなわちオフセット量が光ディスクのチルトに比例して変化させるためには、作成した溝形状がウォブルしているだけでなく、ランド幅またはグルーブ幅を変化させることが必要だということが判った。
【００４６】
前記図６−（ａ）、図７−（ａ）、図８−（ａ）、図９−（ａ）のランド部分のウォブルを作成するには、露光ビームを一定距離の間、一方向に振る必要があった。しかし露光ビームの偏向機構はＡＣカップリングが普通であるから、いつまでもビームを一方向に振っていると中心位置がずれ、トラックのピッチむらが発生する。これを避けるためには一定時間内にビームを反対方向に同じ距離の間だけ振れば良い。図１４は、チルト検出領域３１と、トラックのピッチむらを避けるために露光ビームを反対方向に振ったダミー領域３２の図である。前期チルト検出領域３１と前記ダミー領域３２の合わせた距離が１ｍｍ以内であれば、トラックピッチが変化しないことが判った。
【００４７】
【発明の効果】
このように本発明によれば、ドライブの部品を増やすことなく、トラッキング制御を行いながら、容易に光ディスクのチルトを検出することが出来る。
【図面の簡単な説明】
【図１】本実施の形態が適用される光情報記録再生装置の全体構成を説明するための図である。
【図２】光ディスクに集光された光スポットと、トラック溝形状の位置関係を説明するための図である。
【図３】光ディスクからの反射光を受光するフォトディクターの受光素子の図である。
【図４】光ディスクのトラッキング非制御時のＤＰＰ信号波形のラジアルチルト特性の図、およびメイン収束スポットのプッシュプル信号波形のラジアルチルト特性の図である。
【図５】光ディスクのトラッキング制御時のＤＰＰ信号波形のラジアルチルト特性の図、およびメイン収束スポットのプッシュプル信号波形のラジアルチルト特性の図である。
【図６】本実施の形態における光ディスク溝形状の第一実施例の図である。
【図７】本実施の形態における光ディスク溝形状の第二実施例の図である。
【図８】本実施の形態における光ディスク溝形状の第三実施例の図である。
【図９】本実施の形態における光ディスク溝形状の第四実施例の図である。
【図１０】本実施の形態における光ディスク溝形状の第五実施例の図である。
【図１１】本実施の形態における光ディスク溝形状の第六実施例の図である。
【図１２】本実施の形態における光ディスク溝形状の第七実施例の図である。
【図１３】本実施の形態における光ディスク溝形状の比較対照例の図である。
【図１４】本実施の形態における光ディスク溝形状のチルト検出領域とダミー領域の図である。
【符号の説明】
１１  レーザー光源（半導体レーザー）
１２  コリメートレンズ
１３  回折格子
１４  ビームスプリッター
１５  反射ミラー
１６  対物レンズ
１７  集光レンズ
１８  フォトディクター
１９  光ディスク
２１  メイン収束スポット
２２  サブ収束スポット（１）
２３  サブ収束スポット（２）
２４  メイン収束スポットの受光素子
２５  サブ収束スポット（１）の受光素子
２６  サブ収束スポット（２）の受光素子
３１  チルト検出領域内でランド部の両側のグルーブのウォブル振幅が内向きになっている領域
３２  チルト検出領域内でランド部の両側のグルーブのウォブル振幅が外向きになっている領域
【図１】
2004295966.tif 000005
【図２】
2004295966.tif 000006
【図３】
2004295966.tif 000007
【図４】
2004295966.tif 000008
【図５】
2004295966.tif 000009
【図６】
2004295966.tif 000010
【図７】
2004295966.tif 000011
【図８】
2004295966.tif 000012
【図９】
2004295966.tif 000013
【図１０】
2004295966.tif 000014
【図１１】
2004295966.tif 000015
【図１２】
2004295966.tif 000016
【図１３】
2004295966.tif 000017
【図１４】
2004295966.tif 000018